(57)【要約】【課題】大きさの異なる野菜を詰め込んだとき、蓋片が形成された山盛りの形状に膨らみ確実に閉鎖できるようにした段ボールケースを提供する。【解決手段】この発明の段ボールケース２００は、一枚の段ボール１００から箱状に折り上げられ、側壁３１、３３と端壁３２、３４に連設された左右対称な一対の側蓋片１１、１３と左右対称な一対の端蓋片１２、１４とを互いに係合させて閉鎖する。側蓋片１１、１３は、中央部に長手方向の折れ目Ｇを設けるとともに両端部に顎部７３を有する係合片７を設けている。そして、端蓋片１２、１４は、上側に湾曲させた折れ目Ｋ２を設けるとともに該係合片７を上から挿入して顎部７３が係合する案内部６２を有する切抜孔５Ａを２個備えている。また、係合片７の顎部７３から斜めに折れ目Ｐを設けている。また、側蓋片１１、１３の折れ目Ｇの両端部は、内側へ凹ませて形成している。【選択図】図５
2013116768.tif 000002
【特許請求の範囲】
【請求項１】
側壁と端壁に連設された左右対称な一対の側蓋片と左右対称な一対の端蓋片とを互いに係合させて閉鎖するようにした一枚の段ボールから箱状に折り上げられる段ボールケースにおいて、該側蓋片は、中央部に長手方向の折れ目Ｇを設けるとともに両端部に顎部を有する係合片を設け、該端蓋片は、上側に水平な折れ目Ｋを設けるとともに該係合片を上から挿入して該顎部が係合する案内部を有する切抜孔を２個備えたことを特徴とする段ボールケース。
【請求項２】
前記切抜孔は突起５１，５２を有する舌片５を端部の折り目Ｈから切り起こし、中側へ折り曲げて形成し、前記係合片は、平面視で台形状の側蓋片の左右の傾斜面に突出して形成され、顎部は係合片の上側付根に形成したことを特徴とする請求項１記載の段ボールケース。
【請求項３】
前記折り目Ｋは、前記端蓋片の上辺側へ湾曲することを特徴とする請求項１記載の段ボールケース。
【請求項４】
前記側蓋片は、前記係合片の顎部から斜めに折れ目Ｇまで折れ目Ｐを設け、前記係合片が前記切抜孔へスムーズに挿入できるようにしたことを特徴とする請求項１または請求項２に記載の段ボールケース。
【請求項５】
前記側蓋片の折れ目Ｇの両端部の位置を、内側へ凹ませて形成したことを特徴とする請求項１記載の段ボールケース。
【発明の詳細な説明】
【技術分野】
【０００１】
本発明は、留め金具を使用せずに収納した野菜の山盛りの形に倣って蓋片を閉鎖できるようにした段ボールケースに関するものである。
【背景技術】
【０００２】
一枚の段ボールから箱状に折り上げられる段ボールケースは、リサイクルの観点から梱包後の姿勢を保持するために留め金具を使用せずに手作業のみで組立や解体ができるようにしたものが増加している。
この段ボールケースでは、蓋部を、側壁と端壁に連設された左右対称な一対の側蓋片と端蓋片とを互いに係合させて閉鎖するようにしている。
【０００３】
ところで、野菜など青果物は、同じ数でも容積が異なり、上へ盛り上がり蓋が閉まらなかったり、閉鎖係合が外れてしまったりする。このため、多少容積が増えて上へ盛り上がっても蓋を閉鎖できるようにしたものが望まれている。
そこで、出願人は先に蓋部を外方へ拡がるように形成し、青果物の容量に応じて蓋部を２〜３段階に係止できるようにした段ボールケースを開発した（特許文献１）。
【０００４】
この段ボールケースは、図１１に示すように、蓋部を側蓋片２１、２３と端蓋片２２、２４とで構成し、端蓋片２４を折り目Ｌを介して主蓋片２４ａと從蓋片２４ｂに分割し、これに、係止溝２５ａ、２５ｂを有する係止片２５を折り目Ｍを介して連設している。そして、側壁には、折り目Ｎを介して覆い２６を備えるとともに、この上部に該係止溝２５ａまたは２５ｂが係止する角部２７を備えている。
このように、構成しているので、個々に大きさの異なる青果物を詰め込んで盛り上がっても、蓋を段ボールケースの外側へ拡開させて２段階に閉鎖できる。
【先行技術文献】
【特許文献】
【０００５】
【特許文献１】特許４７１８７９４号
【発明の開示】
【発明が解決しようとする課題】
【０００６】
特許文献１の段ボールケースは、青果物が上に盛り上がっても蓋を２〜３段階に係止できるので、大きさがまちまちで容積が変動する野菜の収納に好適である。また、蓋の係止も蓋片の一箇所で行うだけなので、作業が簡便である。
しかしながら、この段ボールケースは、蓋を段階的にしか閉じられないので、蓋が青果物の山盛りの形状に倣って閉鎖されずに、係止が不完全になったり、また、野菜を詰め込む量が多いと、蓋片同士の係止が十分でなく、蓋を閉じることができないという場合も生ずるという問題があった。
【０００７】
そこで、本発明は、大きさの異なる野菜を詰め込んだとき、蓋片が形成された山盛りの形状に膨らみ、確実に閉鎖できるようにした段ボールケースを提供することを目的としている。
【課題を解決するための手段】
【０００８】
上記の目的を達成するため、本発明の段ボールケースは、次のように構成した。
すなわち、側壁と端壁に連設された左右対称な一対の側蓋片と左右対称な一対の端蓋片とを互いに係合させて閉鎖するようにした一枚の段ボールから箱状に折り上げられる段ボールケースにおいて、該側蓋片は、中央部に長手方向の折れ目Ｇを設けるとともに両端部に顎部を有する係合片を設け、該端蓋片は、上側に水平な折れ目Ｋを設けるとともに該係合片を上から挿入して該顎部が係合する案内部を有する切抜孔を２個備えたことを特徴としている。
【０００９】
この段ボールケースは、端蓋片を閉じて、側蓋片の係合片を端蓋片の切抜孔へ挿入しながら側蓋片を閉じることにより、青果物の上端部の盛り上がりがまちまちでも形状に倣って、蓋が閉じられ、自動的に係合片の顎部が切抜孔の案内部に係止して閉鎖される。
側蓋片の係合片と顎部および端蓋片の切抜孔と案内部は、収納最大容量などによって形状を決めればよいが、請求項２に記載のように、係合片は、平面視で台形状の側蓋片の左右の傾斜面に突出して形成し、顎部は係合片の上側付根に形成するのが望ましい。
また、切抜孔は、切り抜かずに突起５１、５２を有する舌片５を端部の折り目Ｈから切り起こし、中側へ折り曲げて形成するとよい。なお、切抜孔は端蓋片それぞれに左右対称に２個設ける。
【００１０】
端蓋片に設ける折り目Ｋは、平行のみならず請求項３に記載のように、端蓋片の上辺側へ湾曲させてもよい。
また、側蓋片は、係合片が切抜孔へスムーズに挿入できるように、請求項４に記載のように、係合片の顎部から斜めに折れ目Ｇまで折れ目Ｐを設けるとよい。
さらに、請求項５に記載のように、側蓋片の折れ目Ｇの両端部は、内側へ凹ませて形成するとよい。
【発明の効果】
【００１１】
本発明の段ボールケースは、側蓋片の中央部に長手方向の折れ目Ｇを設けるとともに両端部に顎部を有する係合片を設け、端蓋片には、上側に水平な折れ目Ｋを設けるとともに係合片を上から挿入して顎部が係合する案内部を有する切抜孔を２個備えたので、収納する容量がまちまちでも上端の形状に倣って、蓋が簡単に閉じられ、顎部が切抜孔の案内部に係止して閉鎖される。そして、閉鎖した後は、蓋が簡単に外れるようなことが無い。
【００１２】
また、請求項３に記載のように、端蓋片に設ける折り目Ｋは、平行のみならず、端蓋片の上辺側へ湾曲させて設ければ、ナス、きゅうり、にんじん等の比較的小さなものだけでなく、白菜、キャベツ、大根などの比較的大きなものを、収納することができる。
また、請求項５に記載のように、側蓋片の折れ目Ｇの両端部を、内側へ凹ませて形成すれば、山形の端部の角が出っ張らないので、野菜を収納した段ボールケースを段積みする際に、引っ掛かるようなことが無く、作業がし易い。
【図面の簡単な説明】
【００１３】
【図１】実施例１の段ボールケース２００の展開図で、段ボール１００である。
【図２】同、蓋部展開図の一部拡大図である。
【図３】同、蓋部を閉じる作業状態を示す全体斜視図である。
【図４】同、一部拡大斜視図である。
【図５】同、蓋部を閉じた状態の全体斜視図である。
【図６】同、収納する野菜が小容量であるときの蓋部を閉じた状態を示す一部斜視図である。
【図７】同、中容量であるときの蓋部を閉じた状態を示す一部斜視図である。
【図８】同、大容量であるときの蓋部を閉じた状態を示す一部斜視図である。
【図９】同、蓋部を閉じた状態の係止部を拡大した模式図である。
【図１０】実施例２の段ボールケース２００の展開図で、段ボール１００である。
【図１１】従来例の蓋部を閉じる途中の状態を示す斜視図である。
【発明を実施するための最良の形態】
【００１４】
本発明の段ボールケースの実施の形態について、以下に実施例を示す図面に基づいて具体的に説明する。
【実施例１】
【００１５】
本発明の段ボールケースの実施例１について、図１〜図９を参照しながら説明する。
図１は、本実施例の段ボールケース２００の展開図である段ボール１００で、図２は、蓋部展開図の一部拡大図である。図３は、蓋部を閉じる過程の状態を示す全体斜視図で、図４は、一部拡大斜視図である。そして、図５は、蓋部を閉じた状態の全体斜視図である。  図６は、収納する野菜が小容量である場合の蓋部を閉じたの状態の一部斜視図で、図７は、中容量である場合の状態、図８は、大容量である場合の状態を示すものである。図９は、蓋部を閉鎖したときの係止部を拡大した模式図である。
【００１６】
段ボール１００は、図１に示すように、ほぼ矩形状であり、左右方向に、平行な折り目Ａとその下方の折り目Ｂを備え、蓋部１０と周壁部３０と底部４０に三分割されている。  そして、一段目の蓋部１０は切れ目を介して左右方向に側蓋片１１、端蓋片１２、側蓋片１３、端蓋片１４に分割されている。側蓋片１１と側蓋片１３は夫々同じ形状であり、夫々の側蓋片は左右対称である。同様に、端蓋片１２と端蓋片１４は夫々同じ形状であるとともに、夫々の端蓋片は左右対称である。
【００１７】
また、二段目の周壁部３０には該折り目Ａから折り目Ｂまで直角方向に左端から折り目Ｃ、Ｄ、Ｅ、Ｆを夫々平行に備えている。
また、三段目の底部４０は切れ目を介して左右方向に側底片４１、端底片４２、側底片４３、端底片４４に分割されている。ここで、端底片４２、４４は同じ形状であり、側底片４１、４３は下端部が相違している。
【００１８】
蓋部１０を説明する前に、周壁部３０と底部４０を説明する。
周壁部３０は、折り目Ｄ、Ｅ、Ｆを介して左右に側壁３１、端壁３２、側壁３３、端壁３４に分割され、側壁３１の折り目Ｃの左側には糊代片３５を設けている。ここで、側壁３１、３３は糊代片３５を除いて同じ形状で、かつ左右対称である。同様に端壁３２、３４も同じ形状で、左右対称である。
また、底部４０は、端底片４２、４４に夫々折り目Ｊ、Ｊが設けられ、上下に区画されている。そして、側底片４１、４３には左右に夫々ほぼ三角形状の舌片（符号は省略）が設けられている。
【００１９】
蓋部１０は、側蓋片１１、１３には、折り目Ａに平行な折り目Ｇが設けられ、上辺寄りの蓋面片１１１、１３１と周壁部３０寄りの蓋面片１１２、１３２に分割されている。
この側蓋片１１、１３は両端側が斜めに切断された台形状であり、この端部の斜めの部位に係合片７、７が左右対称に突設されている。そして、係合片７には、突起７１、７２と窪んだ顎部７３が設けられている。
また、側蓋片１１、１３の折り目Ｇのある部分の両端部は、図示のように折り目Ｇの方へ食い込んだ凹みＱが形成されている。また、顎部７３の下部から斜め下へ折り目Ｇまで、折り目Ｐが設けられている。
【００２０】
端蓋片１２、１４は、図２に示すように、折り目Ｋによって上下に蓋面片１２１と蓋面片１２２に区画され、蓋面片１２２の左右には、折り目Ａに沿って異形状の舌片５、５が左右対称に切り起こされ、切抜孔５Ａが形成されている。舌片５の端部は折り目Ａに対し直角に折り目Ｈが立ち上がり、詳細は以下のように構成されている。
【００２１】
舌片５は、折り目Ａに沿って折り目Ｈの下端から始まり、左回りに直線と曲線からなる切れ目ａ、ｂ、ｃ、ｄ、ｅ、ｆ、ｇと廻って折り目Ｈの上端に辿るように切り起こされた異形状片である。この舌片５は右へ突き出た切れ目ｃを含む突起５１と、上へ突き出た切れ目ｅを含む突起５２を備えている。切れ目ｅは上方で折り目Ｋと交わって（記号Ｚ）いる。
この切抜孔５Ａの形成によって、蓋面片１２２の中央部は、異形片６が形成され、下部に突起６１と、切れ目ｄと切れ目ｅによって刳り抜かれた跡の外周りに案内部６２と、切れ目ｅと切れ目ｆによって刳り抜かれた跡の外周りに凹部６３が形成される。
【００２２】
折り目Ｋは、直線状の左右の折り目Ｋ２、Ｋ２と中央の曲線状の折り目Ｋ１とが繋がった複合曲線である。中央の折り目Ｋ１は左右の記号Ｚ、Ｚから上辺へ向けて湾曲し、左右の折り目Ｋ２、Ｋ２は端部の記号Ｙと記号Ｚとを結ぶ傾斜した直線である。
【００２３】
次に、上記のように構成された段ボール１００（図１）を段ボールケース２００（図５）へ折り上げる手順について説明する。
【００２４】
先ず、中段の周壁部３０から折り上げる。これは、折り目Ｄ、Ｅ、Ｆの位置から、四角に囲うように折り曲げ、側壁３１、端壁３２、側壁３３、端壁３４を形成し、左端の糊代片３５を端壁３４の内側先端部に糊付けする。
次に底部４０を折り上げる。これは、側底片４１、端底片４２、側底片４３、端底片４４を相互に差込み合いながら底面を閉じ、係止して底抜けしないように保持する。なお、この底面は段ボールケースの一般的な折り方で、よく知られている。
【００２５】
次に、蓋部１０を閉じる手順を図３および図４を参照しながら説明する。
先ず、端蓋片１２を折り目Ａの部位から中央に向けて折り曲げる。次いで、この直角方向から側蓋片１１を折り目Ａの部位から中央に向けて折り曲げ、折り目Ｇの部位から先端の蓋面片１１１を端蓋片１２に被せるように折り曲げる。さらに、係合片７を折り目Ｐの部位から中央に向けて折り曲げる。
この時、蓋面片１１１の係合片７によって、端蓋片１２の舌片５を折り目Ｈを軸として中側へ回動させるように押し下げる。さらに蓋面片１１１の係合片７によって舌片５を押すと同時に、係合片７の一方の突起７１を異形片６の案内部６２の裏側へ潜らせ、他方の突起７２を異形片６の突起６１の裏側へ潜らせる。
【００２６】
この作業を、段ボールケース２００の前後左右４箇所において行うことにより、蓋面片１１１、１３１の係合片７が端蓋片１２、１４の異形片６の裏側へ潜り、蓋部１０が閉鎖され、図５に示す状態となる。
手前左寄りの部位について説明すると、側蓋片１１の係合片７が端蓋片１２の異形片６の裏側へ潜っており、係合片７の突起７１、７２は隠れて見えない。この時、対向する蓋面片１１１と蓋面片１３１との間に隙間Ｗが形成される。
【００２７】
次に、段ボールケース２００へ青果物を収納する容量の大小によって、蓋部１０の閉鎖状態が変化する様子を、図６〜図９を参照しながら説明する。
段ボールケース２００へ収納する容量が最小である場合は、図６に示すように、側蓋片１１、１３と端蓋片１２、１４の重なりが大きく、蓋部１０はほぼ平らな状態となる。
すなわち、野菜の量が少ない場合は、上方への盛り上がりがなく、側蓋片１１、１３の折れ目Ｇの折れ具合が小さく、係合片７が切抜孔５Ａに深く潜り込む。したがって、係合片７の突起７１、７２は異形片６の裏側に潜り、舌片５は係合片７の裏側に潜って左手前の折り目Ｈの右傍に僅かに見える状態となる。
【００２８】
また、異形片６の上部では、上側の蓋面片１２１の左右端部が折り目Ｋの部位から僅かに折れ曲がりながら蓋面片１１１、１３１の裏側へ潜り、異形片６の下部では、係合片７が異形片６の突起６１の裏側へ潜る。
そして、異形片６の上下中間部においては、異形片６の案内部６２が係合片７の顎部７３（図１参照）と絡み合って係止される。なお、この案内部６２は、舌片５が折り目Ｈを軸として段ボールケースの中側へ回動した跡に、切れ目ｄと切れ目ｅの外周に形成されたものである。
【００２９】
このような係合片７と切抜孔５Ａによる係止箇所が蓋部１０の４箇所に形成され、側蓋片１１、１３と端蓋片１２、１４同士が絡み合い係止されるので、蓋部１０は閉鎖状態が保たれる。かつ、端蓋片１２先端の蓋面片１２１が湾曲した折り目Ｋの部位から段ボールケースの中側へ僅かに折れ曲がるので、端蓋片１２は折り目Ｋの部位から段ボールケースの外側へ向けて僅かに膨らむ。
ここで、折り目Ｋは、左右の傾斜した直線状折り目Ｋ２、Ｋ２と、中央の上辺に向けて湾曲した折り目Ｋ１が繋がる複合曲線によって構成されているので、中の野菜の詰まり具合に倣って、端蓋片１２の折り目Ｋの部位が段ボールケースの外側へ向けて柔軟に膨らむこととなる。図６では、収納量が少ないので、左右の対向する蓋面片１１１と蓋面片１３１との間の隙間Ｗ１は小さいものとなる。
【００３０】
また、収納する容量が中程度である場合は、図７に示すように、中の野菜の量が多めなので、蓋面片１１１、１３１は折り目Ｇの部位において山形に折れて段ボールケースの外側へ膨らみ、係合片７が異形片６の裏側へ潜る度合いは前述の容量が最小の場合より浅くなる。
そして、異形片６の上部では、蓋面片１２１が折り目Ｋ１の部位から、段ボールケースの中側へ折れながら蓋面片１１１、１３１の裏側へ潜るが、その潜り度合いは前述の容量が最小の場合より浅くなる。また、異形片６の下部では、係合片７が異形片６の突起６１の裏側へ潜ることはない。また、異形片６の上下中間部において、異形片６の案内部６２が係合片７の顎部７３から離れており、これらが絡み合うことはない。また、蓋面片１１１と蓋面片１３１との間の隙間Ｗ２は前述の隙間Ｗ１より大きくなる。
【００３１】
さらに、収納する容量が多くなり最大程度である場合は、図８に示すように、中の野菜の量が多いので、蓋面片１１１、１３１は折り目Ｇの部位において山形に折れて段ボールケースの外側へ膨らみ、端蓋片１２、１４は中央の折り目Ｋ１が湾曲しているので、野菜の詰まり具合が多ければ多いほど、端蓋片１２は折り目Ｋ１の部位からその湾曲形状に倣って外側へ向けて大きく膨らむ。
これにより、係合片７が異形片６の裏側へ潜る度合いは前述の中容量の場合より更に浅くなる。
そして、異形片６の上部では、蓋面片１２１が折り目Ｋの部位から段ボールケースの中側へ大きく折れながら蓋面片１１１、１３１の裏側へ潜るが、その潜り度合いは前述の中容量の場合より浅い。また、異形片６の下部では、係合片７が異形片６の突起６１の裏側へ潜ることはない。また、異形片６の上下中間部において、係合片７の顎部７３が案内部６２の端部に記号Ｚ（図２参照）辺りに係止される。
また、左右の対向する蓋面片１１１と蓋面片１３１との間の隙間Ｗ３は、中容量の隙間Ｗ２より更に大きなものとなる。
【００３２】
以上、収納する容量によって蓋部１０が変化する状態を説明したが、次にこれらの推移する状態を模式的に示す図９を参照しながら、係止作用について説明する。
中に収納された野菜の容量に応じて、切れ目ｅと突起７２との交点Ｖは、切り目ｅ上を矢印Ｕ方向に左右に移動することとなる。
図６に示す容量が最小の場合は、顎部７３は交点Ｖの移動に伴って左側へ移動して左側の案内部６２と係合して係止される。また、図８に示す容量が最大の場合は、交点Ｖが記号Ｚまで右側へ移動するのに伴って顎部７３は案内部６２右端（凹部６３）に係合して係止される。また、図７に示すように中容量の場合は、野菜の詰まり具合に応じて交点Ｖが切り目ｅ上を矢印Ｕに沿って左右へ移動する。
【００３３】
端蓋片１２の折り目Ｋは上辺に向けて湾曲しているので、折り目Ｋの部位から折れて段ボールケースの外側へ向けて膨らむ。
例えば白菜、キャベツ、大根等の比較的大物類の野菜を段ボールケースの中に詰め込んだ場合、端蓋片１２は大きい凸凹の山形に倣って湾曲した折り目Ｋの部位から折れ曲がり、段ボールケースの外側へ向けて大きく膨れる。
【００３４】
また、側蓋片１１、１３の左右端部において、蓋面片１１１と蓋面片１１２との分割部は、折り目Ｇの方に凹んだ異形状に形成されている。従って、段ボールケース２００へ折り上げた蓋部１０は、蓋面片１１１と蓋面片１１２とが折り目Ｇの部位において折れ、山形状に段ボールケースの外側へ膨れる。そしてこの時、蓋面片１１１と蓋面片１１２とで形成される山形の端部は折り目Ｇの方へ窪む凹みＱ（図５参照）が形成される。
通常、野菜を段ボールケースに詰め込んで、蓋部１０を閉鎖したら、多段に積み重ねて一時保管されるが、凹みＱがあるため、段ボールケースを段積みする際に、山形の端部の角に引っ掛かるようなことが無い。また、顎部７３の下辺から下方の折り目Ｇまで延びる折り目Ｐがあるので、係合片７を案内部６２の裏側へ差し込む作業が容易にできる。
【実施例２】
【００３５】
次に、本発明の段ボールケースの実施例２について、図１０の段ボール１００を参照しながら説明する。
実施例２の実施例１との相違点は、折り目Ｋが直線であることにある。
【００３６】
すなわち、端蓋片１２は折り目Ｋによって上下に蓋面片１２１と蓋面片１２２に分割されるが、折り目Ｋは、蓋面片１２１の上辺に平行な直線としている。なお、他の構成については、実施例１と同様である。
【００３７】
直線状折り目Ｋは上辺と平行な直線状であり、野菜を収納して蓋部１０を閉鎖する場合、蓋面片１２１と蓋面片１２２とは折り目Ｋの部位から折れて段ボールケースの外側へ向けて僅かに膨らむこととなる。
このため、比較的小物類の野菜を収納すると、その詰め込んだ上面は小さい凸凹が形成されながら全体的に平坦状に盛り上がる。例えばナス、きゅうり、人参等の比較的小物類の野菜を収納する場合は、折り目Ｋが直線状なので蓋面片１２１と蓋面片１２２は境目の折り目Ｋの部位から外側へ向けて均等に盛り上がり、好ましい状態となる。
【符号の説明】
【００３８】
Ａ、Ｂ、Ｃ  折り目
Ｄ、Ｅ、Ｆ  折り目
Ｇ、Ｈ、Ｊ、Ｐ  折り目
Ｌ、Ｍ、Ｎ  折り目
Ｋ、Ｋ１、Ｋ２  折り目
ａ、ｂ、ｃ  切れ目
ｄ、ｅ、ｆ、ｇ  切れ目
Ｑ  凹み
Ｕ  矢印
Ｖ  交点
Ｙ、Ｚ  記号
Ｗ、Ｗ１、Ｗ２、Ｗ３  隙間
１００  段ボール
２００  段ボールケース
１０  蓋部
１１、１３  側蓋片
１２、１４  端蓋片
１１１、１１２  蓋面片
１２１、１２２  蓋面片
１３１、１３２  蓋面片
１４１、１４２  蓋面片
２１、２３  側蓋片
２２、２４  端蓋片
２４ａ  主蓋片
２４ｂ  從蓋片
２５  係止片
２５ａ、２５ｂ  係止溝
２６  覆い
２７  角部
３０  周壁部
３１、３３  側壁
３２、３４  端壁
３５  糊代片
４０  底部
４１、４３  側底片
４２、４４  端底片
５  舌片
５Ａ  切抜孔
５１、５２  突起
６  異形片
６１  突起
６２  案内部
６３  凹部
７  係合片
７１、７２  突起
７３  顎部
【図１】
2013116768.tif 000003
【図２】
2013116768.tif 000004
【図３】
2013116768.tif 000005
【図４】
2013116768.tif 000006
【図５】
2013116768.tif 000007
【図６】
2013116768.tif 000008
【図７】
2013116768.tif 000009
【図８】
2013116768.tif 000010
【図９】
2013116768.tif 000011
【図１０】
2013116768.tif 000012
【図１１】
2013116768.tif 000013